(57)【特許請求の範囲】
【請求項１】
底面または側面に発熱体を、内部に生薬を支持する保持体を有するガラスあるいは陶磁器の容器と、発熱体の通電をオンオフするスイッチと、容器中の水の温度を測定する温度検知手段と、生薬の抽出温度を指定する温度指示部と、温度検知手段と温度指示部の情報を受けて発熱体への通電量を調節する温度制御装置と、容器に接続した水タンクとを備え、前記水タンクは浄水フィルタを介して容器内に水を供給する生薬抽出装置。
【請求項２】
温度制御装置は水温を沸騰点以下に制御できる請求項１記載の生薬抽出装置。
【請求項３】
浄水フィルタは、活性炭と無機繊維状物質と二酸化マンガンと陽イオン交換樹脂を含む請求項１記載の生薬抽出装置。
【請求項４】
無機繊維状物質はアルミナシリカファイバーである請求項３記載の生薬抽出装置。
【請求項５】
活性炭と無機繊維状物質と二酸化マンガンとはアルミナを添加することによって一体成型した請求項３または４記載の生薬抽出装置。
【請求項６】
陽イオン交換樹脂はカリウム交換型とした請求項３記載の生薬抽出装置。
【発明の詳細な説明】
【０００１】
【発明の属する技術分野】
本発明は、医療用または一般用として用いる生薬抽出装置に関するものである。
【０００２】
【従来の技術】
近年健康に対する関心が高まってきており、いわゆる生薬と称されるものを愛用する人が増えてきている。この生薬を抽出する場合に現状では、例えば温度はどれぐらいが適当か、また時間はどれくらいか適当かは明確にはなっていないものである。そこで従来は、例えば適当な容器を使用してガスによって適当な時間加熱して生薬を抽出しているものである。
【０００３】
【発明が解決しようとする課題】
前記従来の方法は、例えば抽出できる生薬の量を管理することができないという課題を有しているものである。つまり、例えば金属容器を使用して水を長時間煮沸して生薬を抽出すると、水中に含まれる無機塩および無機イオンと、容器に含まれる金属イオンと生薬の抽出成分とがキレート結合を起こしたりするものである。キレート結合は安定しているため、生薬の有効抽出成分が計算上の濃度分より減少するものである。
【０００４】
本発明はこのような従来の方法が有している課題を解決するもので、キレート結合が生ずることのない、安定した生薬の抽出ができる生薬抽出装置を提供することを目的としている。
【０００５】
【課題を解決するための手段】
前記目的を達成するための本発明の第一の手段は、ガラスあるいは陶磁器の容器の底面あるいは側面に発熱体を配置し、内部に生薬を支持する保持体を配置して、生薬の抽出時に金属イオンの水中への溶出を防ぎ、発熱体の通電をオンオフするスイッチと、容器中の水の温度を測定する温度検知手段と、生薬の抽出温度を指定する温度指示部と、温度検知手段と温度指示部の情報を受けて発熱体への通電量を調節する温度制御装置とによって生薬の抽出温度を自由に設定でき、水タンクから浄水フィルタを介して浄化した水を供給することにより、生薬の有効成分を効果的に抽出できる生薬抽出装置とするものである。
【０００６】
また本発明の第二の手段は、温度制御装置は水温を沸騰点以下に制御できるようにして、特にカッコンや有機酸を多く含有する生薬の抽出時に有効な生薬抽出装置とするものである。
【０００７】
本発明の第三の手段は、浄水フィルタは、活性炭と無機繊維状物質と二酸化マンガンと陽イオン交換樹脂を含むものとして不純物を除去した水を容器内に供給できる生薬抽出装置とするものである。
【０００８】
本発明の第四の手段は、無機繊維状物質としてアルミナシリカファイバーを使用して、耐久性・耐熱性に優れ、成型もしやすい生薬抽出装置とするものである。
【０００９】
本発明の第五の手段は、浄水フィルタは、活性炭と無機繊維状物質と二酸化マンガンとにアルミナを添加し一体成形したものとして、使い勝手の良い生薬抽出装置とするものである。
【００１０】
本発明の第六の手段は、陽イオン交換樹脂をカリウム交換型として、低カリウム血症を防止できる生薬抽出装置とするものである。
【００１１】
【発明の実施の形態】
以下本発明の実施の形態について説明する。図１は、本実施形態の構成を示す断面図である。１はガラスあるいは陶磁器の容器で、底面には発熱体２を、内部に生薬１０を支持するネットで構成した保持体３と、表面には内部の水温を検知する温度検知手段４を備えている。また、容器１の上には水タンク５を取り外し自在に載置している。水タンク５は、容器１に供給する水を溜める貯水部５ａと、貯水部５ａの水を容器１に供給するコック５ｂと、コック５ｂの下部に設けた浄水フィルタ６とを備えている。７は発熱体の通電をオンオフするタイマー機能を有するスイッチ、８は生薬の抽出温度を指定する温度指示部９と温度検知手段４の情報を受けて発熱体２への通電量を調節する温度制御装置である。なお水タンク５は本実施形態では容器１の上部に載置した構成としているが、容器１と接続した構成であればどこに配置しても特に支障はないものである。
【００１２】
以下本実施形態の動作について説明する。保持体３上に生薬１０を用意し、貯水部５ａに適当量の水道水を貯水した水タンク４を容器１上に載置する。こうして、コック５ｂを開けると水は浄水フィルタ６を介して容器１に供給される。浄水フィルタ６は、水道水中に含まれている無機イオン・無機塩等を除去するものである。容器１内に適当量の水が貯まると、温度指示部８に例えば９０℃を設定し、スイッチ７に抽出時間をセットする。温度制御装置９は温度指示部８に設定されている温度と温度検知手段４が検知する温度情報とから、容器１内の水の温度を９０℃に保つように、発熱体２に供給する電力を調整する。こうして、スイッチ７に設定された所定の時間が経過すると温度制御装置９は発熱体２への通電を停止する。こうして容器１内には、生薬の抽出液が形成される。
【００１３】
このとき本実施形態によれば、容器１としてガラスあるいは陶磁器のものを使用している。このため生薬１０の抽出液中に金属イオンが混入するおそれがないものである。つまり、生薬の有効成分がキレート結合によって低下するようなことはないものである。また貯水部５ａに貯水している水を浄水フィルタ６を介して容器１に供給するようにしているため、生薬１０の抽出に使用する水は不純物を除去したものを使用できる。また、温度検知手段４、タイマー機能を有するスイッチ７、温度指示部８・温度制御装置９を使用しているため、生薬１０の抽出温度・抽出時間を正確に制御することができ、生薬の種類に応じた使い方をすることができるものである。
【００１４】
またこのとき、温度制御装置９が水温を沸騰点以下に制御できる設定とすれば、例えば生薬１０としてカッコンを使用した場合に都合の良い制御ができるものである。つまり、カッコンの抽出は９０℃前後で行うと良いとされているものである。また、有機酸を多く含有する生薬は一般的に抽出温度が低い方が好ましいとされている。このようなカッコン等の生薬を抽出する場合に、前記した水温を沸騰点以下に制御できるようにしておけば、生薬の有効成分を効率よく抽出することができるものである。
【００１５】
またこのとき、浄水フィルタ６として活性炭と無機繊維状物質と二酸化マンガンと陽イオン交換樹脂を含むものを使用すると、貯水部５ａから供給される水の不純物を完全に除去でき、生薬の抽出に適した水を容器１内に供給することができるものである。すなわち、活性炭は陽イオンを吸着し、次亜塩素酸イオンを塩素イオンに分解する。無機繊維状物質は無機塩を濾過する。二酸化マンガンは水中の酸化可能なイオンを酸化し酸化物を形成する。形成された酸化物は無機繊維状物質によって除去される。またイオン交換樹脂は、水中のイオンを除去するように作用するものである。
【００１６】
このとき無機繊維状物質を使用する理由は、次の２つの理由によっている。第１には、水道水の圧力が低くて流量が１ｌ／ｍｉｎであり中空糸膜を使用できないことがある。第２に、中空糸膜に替えて紡錘糸を使用した場合には微生物汚染の原因となるということである。以上の理由によって無機繊維状物質を使用することによって、微生物汚染が少なく、水中の固形分・イオンを除去することができるものである。
【００１７】
また特に無機繊維状物質としてアルミナシリカファイバーを使用した場合には、成型が容易で且つ耐久性・耐熱性に優れたものとなる。
【００１８】
またこのとき、浄水フィルタ６は、活性炭と無機繊維状物質と二酸化マンガンとにアルミナを添加し一体成型したものを使用するようにすると、組立時の工数を低減できるものである。つまり、４種の材料の一つづつ充填して浄水フィルタ６を形成するよりも、活性炭と無機繊維状物質と二酸化マンガンの３種を一体に成型したものを使用する方が組立が容易にできるものである。なおこの成型にアルミナを使用するようにすると、疎構造となって高温での成型時に無機繊維状物質の繊維を潰すことがなく、無機繊維状物質の機能を損なうことがないものである。
【００１９】
さらにこのとき、陽イオン交換樹脂としてカリウム交換型のものを使用すると、カリウムが水中から除去されることを防止することができるものである。つまり一般的にいくつかの生薬を服用した場合には低カリウム血症が起こりやすいものであるが、この症状を防止する上で陽イオン交換樹脂をカリウム交換型とすることは有効な方法である。
【００２０】
【実施例】
以下前記実施形態での有効性を証明する実験の結果について説明する。
【００２１】
（実施例１）
先ず抽出に使用する水の影響を調べる実験を行った。硬度約５００のミネラルウォーターと、前記実施形態で説明した浄水フィルタ６を用いて水道水を精製した水とを用いて、カッコンの抽出濃度を比較した。この抽出濃度は高速液体クロマトグラフによって測定しているものである。
【００２２】
この結果、ミネラル成分の少ない精製水のほうが抽出効果が大きいものである。一般的にはミネラルウォーターは体によいと言われているが、生薬の抽出には適していないものである。
【００２３】
（実施例２）
次に抽出時の温度の影響についての実験を行った。ガラス容器に表１に示した組成のカッコン湯を調合し、この中に実施例１と同様の精製水を加えたものを２組用意する。この１つをガスコンロを使用して煮沸し、別の１つを前記実施形態で説明した装置を使用して温度を９０℃に制御して加熱するものである。こうして抽出液中のケイヒ酸の濃度を高速液体クロマトグラフによって測定した。なお比較対照として、市販のカッコン湯エキス顆粒を精製水１００ｍｌに溶かしたものを用いた。この結果を表２に示している。
【００２４】
【表１】
0003633059.tif 000002
【００２５】
表１の組成のものをミキサーで粉砕し、この粉末を抽出実験に用いているものである。
【００２６】
【表２】
0003633059.tif 000003
【００２７】
表２から分かるように、温度管理をしたものはケイヒ酸が飛散することなく水中に残るもので、効果的な抽出ができるものである。またガスコンロを使用したものは、沸騰状態での抽出となるため、ケイヒ酸がほとんと飛散しているものである。またカッコン湯エキス顆粒を溶かしたものは、意外に濃度が低い結果となっている。この理由は、顆粒として成型する際に、１００℃以上の熱を加えて乾燥しているためと考えられる。つまり生薬を抽出した後、これを乾燥し粉末状にしたものに、固形成分を加えて顆粒としているものである。
【００２８】
（実施例３）
次に浄水フィルタ６中の無機繊維状物質によるイオン除去効果を確認する実験を行っている。ガラスファイバーの繊維１０ｇと、アルミナシリカファイバーの繊維１０ｇとを直径２ｃｍ長さ１０ｃｍのカラムに詰め、酸化第二鉄の溶液を濾過した。この結果どちらの濾液からも鉄は検出されなかった。なお鉄の検出には原子吸光測定器を用いた。
【００２９】
（実施例４）
次に、浄水フィルタ６中の陽イオン交換樹脂によるイオン除去効果を確認する実験を行っている。カルシウムイオン２０ｐｐｍ、カリウムイオン１０ｐｐｍ及びマグネシウムイオン５ｐｐｍを含有する水を、カリウム交換型の陽イオン交換樹脂中を通過させ、通過した水中のイオンを測定した。この結果カリウムイオン濃度は１００ｐｐｍ、カルシウムイオン・マグネシウムイオンは共に測定限界以下であった。つまりカリウム交換型の陽イオン交換樹脂を使用しているため、カリウムイオンの溶存量が増加しているものである。このため、いくつかの生薬を服用した場合には生ずる可能性のある低カリウム血症を防止できるものである。
【００３０】
【発明の効果】
本発明の第１の手段は、底面または側面に発熱体を、内部に生薬を支持する保持体を有するガラスあるいは陶磁器の容器と、発熱体の通電をオンオフするスイッチと、容器中の水の温度を測定する温度検知手段と、生薬の抽出温度を指定する温度指示部と、温度検知手段と温度指示部の情報を受けて発熱体への通電量を調節する温度制御装置と、容器に接続した水タンクとを備え、前記水タンクは浄水フィルタを介して容器内に水を供給する構成として、キレート結合が生ずることのない、安定した生薬の抽出ができる生薬抽出装置を実現するものである。
【００３１】
本発明の第二の手段は、特に温度制御装置は水温を沸騰点以下に制御できる構成として、特にカッコンや有機酸を多く含有する生薬の抽出時に有効に作用するものである。
【００３２】
本発明の第三の手段は、浄水フィルタは、活性炭と無機繊維状物質と二酸化マンガンと陽イオン交換樹脂を含む構成として、不純物を除去した水を容器内に供給できる生薬抽出装置を実現するものである。
【００３３】
本発明の第四の手段は、無機繊維状物質をアルミナシリカファイバーとして、成型が容易で且つ耐久性・耐熱性に優れた生薬抽出装置を実現するものである。
【００３４】
本発明の第五の手段は、活性炭と無機繊維状物質と二酸化マンガンとはアルミナを添加することによって一体成型した構成として、組立時の工数を低減した生薬抽出装置を実現するものである。
【００３５】
本発明の第六の手段は、陽イオン交換樹脂をカリウム交換型として、低カリウム血症を防止する上で有効な生薬抽出装置を実現するものである。
【図面の簡単な説明】
【図１】本発明の実施形態である生薬抽出装置の構成を示す断面図
【符号の説明】
１  容器
２  発熱体
３  保持体
４  温度検知手段
５  水タンク
６  浄水フィルタ
７  スイッチ
８  温度指示部
９  温度制御装置
【図１】
0003633059.tif 000004